(57)【要約】【課題】温度管理が必要な商品等であっても、その在庫切れ等による販売機会の喪失を防止できると共に、当該商品等についての適切な温度管理をも行うことが可能な商品管理システムを提供する。【解決手段】商品ＯＢの重量を検出する重量センサ１０と、検出された重量と、商品ＯＢに対応する閾値と、を比較して、商品ＯＢが不足しているか否かを判定する判定部２１と、商品ＯＢの不足が判定されたとき、当該不足である旨を告知するディスプレイ５と、検出された重量に基づいて、商品ＯＢの周囲温度を制御する温度制御部２２と、を備える。【選択図】図１
2015126828.tif 000002
【特許請求の範囲】
【請求項１】
展示中の商品の重量を検出する検出手段と、
前記検出された重量と、前記商品に対応する重量閾値と、を比較して、前記商品が不足しているか否かを判定する判定手段と、
前記商品の不足が判定されたとき、当該不足である旨を告知する告知手段と、
前記検出された重量に基づいて、前記商品の周囲温度を制御する制御手段と、
を備えることを特徴とする商品管理システム。
【請求項２】
請求項１に記載の商品管理システムにおいて、
前記検出手段は、複数の前記商品ごとに前記重量をそれぞれ検出し、
前記判定手段は、前記商品ごとに検出された前記重量と、各前記商品にそれぞれ対応する各前記重量閾値と、をそれぞれ比較して、各前記商品が不足しているか否かをそれぞれ判定し、
前記告知手段は、いずれかの前記商品の不足が判定されたとき、当該商品ごとに当該不足している旨を告知することを特徴とする商品管理システム。
【請求項３】
請求項１又は請求項２に記載の商品管理システムにおいて、
前記制御手段は、前記検出された重量に基づいて、前記周囲温度が前記商品について予め設定されている温度範囲内となるように当該周囲温度を制御することを特徴とする商品管理システム。
【請求項４】
請求項１から請求項３のいずれか一項に記載の商品管理システムにおいて、
前記制御手段は、前記検出された重量に基づいて、前記周囲温度が前記商品について予め設定されている一定温度となるように当該周囲温度を制御することを特徴とする商品管理システム。
【請求項５】
請求項１から請求項４のいずれか一項に記載の商品管理システムにおいて、
前記重量閾値が変更可能とされていることを特徴とする商品管理システム。
【請求項６】
請求項１から請求項５のいずれか一項に記載の商品管理システムにおいて、
前記告知手段は、前記不足である旨を音により告知する音出力手段であることを特徴とする商品管理システム。
【請求項７】
請求項１から請求項６のいずれか一項に記載の商品管理システムにおいて、
前記告知手段は、前記商品ごとに前記不足である旨を表示する表示手段であることを特徴とする商品管理システム。
【請求項８】
展示中の商品の重量を検出する検出手段を備える商品管理システムにおいて実行される商品管理方法であって、
前記検出された重量と、前記商品に対応する重量閾値と、を比較して、前記商品が不足しているか否かを判定する判定工程と、
前記商品の不足が判定されたとき、当該不足である旨を告知する告知工程と、
前記検出された重量に基づいて、前記商品の周囲温度を制御する制御工程と、
を含むことを特徴とする商品管理方法。
【請求項９】
展示中の商品の重量を検出する検出手段を備える商品管理システムに含まれるコンピュータを、
前記検出された重量と、前記商品に対応する重量閾値と、を比較して、前記商品が不足しているか否かを判定する判定手段、
前記商品の不足が判定されたとき、告知手段を用いて当該不足である旨を告知する告知制御手段、及び、
前記検出された重量に基づいて、前記商品の周囲温度を制御する制御手段、
として機能させることを特徴とする商品管理用プログラム。
【発明の詳細な説明】
【技術分野】
【０００１】
本発明は、商品管理システム、商品管理方法及び商品管理用プログラムの技術分野に属する。より詳細には、商品の在庫状況等を管理する商品管理システム及び商品管理方法、並びに当該商品管理システム用のプログラムの技術分野に属する。
【背景技術】
【０００２】
従来、例えば宝飾品等の商品の盗難防止を目的として、その商品が陳列台上に実際に存在するか否かをその重量を検出することにより判定し、所定時間内にその存在が確認できない場合、それを盗難とみなし、例えば警報装置等を鳴動させる技術が開発されている。この従来技術を開示する文献として、例えば下記特許文献が挙げられる。しかしながら下記特許文献１には、商品の重量を検出することを盗難防止以外に用いることについては、何ら開示も示唆もされていない。
【先行技術文献】
【特許文献】
【０００３】
【特許文献１】特開平１０−３０４９５４号公報
【発明の概要】
【発明が解決しようとする課題】
【０００４】
一方、いわゆるコンビニエンスストア等において、陳列台上の商品の在庫が切れてしまうと、その商品の販売機会を喪失してしまうことになる。他方、最近のコンビニエンスストア等における売れ筋商品であるいわゆるホットスナック等は、一度在庫が切れた後に再度補充するためには、改めてその商品を加熱又は揚げる等の手間が必要であり、ある程度の時間を要することになる。そしてこの場合には上記販売機会を更に喪失することになることから、補充のためにある程度の時間を要する上述のような商品の在庫切れを有効に防止する方法が望まれる。
【０００５】
そこで本発明は、上記の要請に鑑みて為されたもので、その課題は、温度管理が必要な商品等であっても、その在庫切れ等による販売機会の喪失を防止できると共に、当該商品等についての適切な温度管理をも行うことが可能な商品管理システム及び商品管理方法、並びに当該商品管理システム用のプログラムを提供することにある。
【課題を解決するための手段】
【０００６】
上記の課題を解決するために、請求項１に記載の発明は、商品の重量を検出する重量センサ等の検出手段と、前記検出された重量と、前記商品に対応する重量閾値と、を比較して、前記商品が不足しているか否かを判定する判定部等の判定手段と、前記商品の不足が判定されたとき、当該不足である旨を告知するディスプレイ等の告知手段と、前記検出された重量に基づいて、前記商品の周囲温度を制御する温度制御部等の制御手段と、を備える。
【０００７】
上記の課題を解決するために、請求項８に記載の発明は、商品の重量を検出する重量センサ等の検出手段を備える商品管理システムにおいて実行される商品管理方法であって、前記検出された重量と、前記商品に対応する重量閾値と、を比較して、前記商品が不足しているか否かを判定する判定工程と、前記商品の不足が判定されたとき、当該不足である旨を告知する告知工程と、前記検出された重量に基づいて、前記商品の周囲温度を制御する制御工程と、を含む。
【０００８】
上記の課題を解決するために、請求項９に記載の発明は、商品の重量を検出する重量センサ等の検出手段を備える商品管理システムに含まれるコンピュータを、前記検出された重量と、前記商品に対応する重量閾値と、を比較して、前記商品が不足しているか否かを判定する判定手段、前記商品の不足が判定されたとき、ディスプレイ等の告知手段を用いて当該不足である旨を告知する告知制御手段、及び、前記検出された重量に基づいて、前記商品の周囲温度を制御する制御手段、として機能させる。
【０００９】
請求項１、請求項８又は請求項９のいずれか一項に記載の発明によれば、商品の重量と、その商品に対応する重量閾値と、を比較して商品が不足しているか否かを判定し、商品の不足が判定されたときその旨告知する。また、検出された重量に基づいて商品の周囲温度を制御する。よって、商品の不足による販売機会の喪失を有効に防止できると共に、商品についての適切な温度管理を行うことができる。
【００１０】
上記の課題を解決するために、請求項２に記載の発明は、請求項１に記載の商品管理システムにおいて、前記検出手段は、複数の前記商品ごとに前記重量をそれぞれ検出し、前記判定手段は、前記商品ごとに検出された前記重量と、各前記商品にそれぞれ対応する各前記重量閾値と、をそれぞれ比較して、各前記商品が不足しているか否かをそれぞれ判定し、前記告知手段は、いずれかの前記商品の不足が判定されたとき、当該商品ごとに当該不足している旨を告知するように構成される。
【００１１】
請求項２に記載の発明によれば、請求項１に記載の発明の作用に加えて、複数の商品ごとにその重量をそれぞれ検出し、当該商品ごとにそれが不足しているか否かをそれぞれ判定し、当該商品ごとに当該不足している旨を告知するので、商品ごとにそれぞれの不足の有無を管理することができる。
【００１２】
上記の課題を解決するために、請求項３に記載の発明は、請求項１又は請求項２に記載の商品管理システムにおいて、前記制御手段は、前記検出された重量に基づいて、前記周囲温度が前記商品について予め設定されている温度範囲内となるように当該周囲温度を制御するように構成される。
【００１３】
請求項３に記載の発明によれば、請求項１又は請求項２に記載の発明の作用に加えて、商品の周囲温度が既定の温度範囲内となるように、商品の重量に基づいて当該周囲温度を制御するので、その商品の品質を維持することができる。
【００１４】
上記の課題を解決するために、請求項４に記載の発明は、請求項１から請求項３のいずれか一項に記載の商品管理システムにおいて、前記制御手段は、前記検出された重量に基づいて、前記周囲温度が前記商品について予め設定されている一定温度となるように当該周囲温度を制御するように構成される。
【００１５】
請求項４に記載の発明によれば、請求項１から請求項３のいずれか一項に記載の発明の作用に加えて、商品の重量に基づいて、商品の周囲温度が既定の一定温度となるように当該周囲温度を制御するので、その商品の品質をより良好に維持することができる。
【００１６】
上記の課題を解決するために、請求項５に記載の発明は、請求項１から請求項４のいずれか一項に記載の商品管理システムにおいて、前記重量閾値が変更可能とされている。
【００１７】
請求項５に記載の発明によれば、請求項１から請求項４のいずれか一項に記載の発明の作用に加えて、検出された商品の重量と比較される重量閾値が変更可能であるので、商品が置かれている環境等に応じて、柔軟に商品を管理することができる。
【００１８】
上記の課題を解決するために、請求項６に記載の発明は、請求項１から請求項５のいずれか一項に記載の商品管理システムにおいて、前記告知手段は、前記不足である旨を音により告知するスピーカ等の音出力手段であるように構成される。
【００１９】
請求項６に記載の発明によれば、請求項１から請求項５のいずれか一項に記載の発明の作用に加えて、商品の不足を音により告知するので、例えば商品の傍にその商品の管理者が不在の場合でも、その管理者に商品の不足を認識させることができる。
【００２０】
上記の課題を解決するために、請求項７に記載の発明は、請求項１から請求項６のいずれか一項に記載の商品管理システムにおいて、前記告知手段は、前記商品ごとに前記不足である旨を表示するディスプレイ等の表示手段であるように構成される。
【００２１】
請求項７に記載の発明によれば、請求項１から請求項６のいずれか一項に記載の発明の作用に加えて、商品ごとにそれが不足である旨が表示されるので、一目で商品の不足を認識することができる。
【発明の効果】
【００２２】
本発明によれば、商品の重量と、その商品に対応する重量閾値と、を比較して商品が不足しているか否かを判定し、商品の不足が判定されたときその旨告知する。また、検出された重量に基づいて商品の周囲温度を制御する。
【００２３】
従って、例えば陳列中の商品の不足による販売機会の喪失を有効に防止できると共に、商品についての適切な温度管理を行うことができる。
【図面の簡単な説明】
【００２４】
【図１】実施形態に係る商品管理システムの概要構成を示すブロック図である。
【図２】実施形態に係る商品管理システムにおける閾値テーブルの内容を例示する図である。
【図３】実施形態に係る商品管理処理を示すフローチャートである。
【図４】実施形態に係る商品管理処理における表示例を示す図である。
【発明を実施するための形態】
【００２５】
次に、本発明を実施するための形態について、図１乃至図４を用いて説明する。なお以下に説明する実施形態は、例えばコンビニエンスストア等の店舗において販売される商品等の在庫管理を行う商品管理システムに対して本発明を適用した場合の実施形態である。また、図１は実施形態に係る商品管理システムの概要構成を示すブロック図であり、図２は当該商品管理システムにおける重量閾値テーブルの内容を例示する図であり、図３は実施形態に係る商品管理処理を示すフローチャートであり、図４は当該商品管理処理における表示例を示す図である。
【００２６】
ここで、実施形態に係る商品管理システムによって在庫管理が行われる商品等としては、例えば、その店舗の料金支払カウンタ（いわゆる「レジ」）の脇等に設置してあるスナック販売機を用いて販売されている唐揚げやフランクフルトソーセージ等の軽食や、チルド化されて陳列／販売されている弁当等が該当する。これらはいずれも、所定の周囲温度の環境下で陳列／販売されるべき商品である。より具体的には、スナック販売機を用いて販売される軽食は所定の温かさの環境下で保温されつつ販売されるべき商品であり、チルド化された弁当等は所定の周囲温度以下の環境下で陳列／販売されるべき商品である。
【００２７】
図１に示すように、実施形態に係る商品管理システムＳは、上記例示の如き商品が所定の周囲温度の環境下で陳列／販売されるショーケースＳＣと、例えばパーソナルコンピュータ等により構成される処理装置ＰＣと、により構成されている。
【００２８】
このときショーケースＳＣは、電熱ヒータ等からなる温度設定部１１と、温度センサ１２と、を備えている。そしてショーケースＳＣでは、一又は複数のトレイＴ１、トレイＴ２、トレイＴ３、…、トレイＴｎ（ｎは自然数）上に、それぞれ異なる商品ＯＢ１、商品ＯＢ２、商品ＯＢ３、…、商品ＯＢｎが、取り出し可能に載せられて陳列／販売されている。なおこれら商品ＯＢ１等は、相互に異なる種類の商品であるだけでなく、複数が同一種類の商品であってもよい。このようなショーケースＳＣでは、温度センサ１２により検出された当該ショーケースＳＣの内部温度に基づき、当該内部温度が、商品ＯＢ１等を保温するのに適した周囲温度となるように、上記処理装置ＰＣにより制御される上記温度設定部１１により制御される構成とされている。なお以下の説明では、トレイＴ１、トレイＴ２、トレイＴ３、…、トレイＴｎについて共通する事項を説明する場合、単に「トレイＴ」と称する。また同様に、商品ＯＢ１、商品ＯＢ２、商品ＯＢ３、…、商品ＯＢｎについて共通する事項を説明する場合、単に「商品ＯＢ」と称する。
【００２９】
一方、ショーケースＳＣ内の各トレイＴの例えば下面には、それぞれ、当該トレイＴに載せられている商品ＯＢの総重量を検出する重量センサ１０１、重量センサ１０２、重量センサ１０３、…、重量センサ１０ｎが備えられている。なお以下の説明では、重量センサ１０１、重量センサ１０２、重量センサ１０３、…、重量センサ１０ｎについて共通する事項を説明する場合、単に「重量センサ１０」と称する。また、この重量センサ１０が本発明に係る「検出手段」の一例に相当する。そして重量センサ１０は、それが備えられているトレイＴに載せられている商品ＯＢの総重量を示す重量検出信号を、例えば常時又は既定の期間ごとに処理装置ＰＣに出力する。
【００３０】
ここで実施形態に係る商品ＯＢは、それぞれ、一個当たりの重量が予め設定された重量範囲内となるように予めカット等された上で、各店舗に配送されるものである。例えば唐揚げであれば一個当たり８０グラム等と決められて配送されるものであり、またフランクフルトソーセージであれば一本当たり１００グラム等と決められて配送されるものである。従って、各トレイＴに載せられる商品及びその商品の一個当たりの重量が予め判っていれば、重量センサ１０でそのトレイＴ上の商品ＯＢの総重量を検出することで、その時点でそのトレイＴに載っている商品ＯＢの残量（何個残っているか）が、処理装置ＰＣで認識可能となる。
【００３１】
次に、上記処理装置ＰＣは、インターフェース１と、ＣＰＵ、ＲＡＭ（Random Access Memory）及びＲＯＭ（Read Only Memory）等からなる処理部２と、揮発性領域及び不揮発性領域を含むメモリ３と、キーボード及びマウス等からなる操作部４と、液晶ディスプレイ等からなるディスプレイ５と、音声ブザー等を含むスピーカ６と、により構成されている。また処理部２は、検出部２０と、判定部２１と、温度制御部２２と、により構成されている。このとき検出部２０、判定部２１及び温度制御部２２は、処理部２を構成するいわゆるハードウェアロジック回路により実現されるものであってもよいし、後述する本発明に係る商品管理用プログラムを処理部２のＣＰＵが読み込んで実行することにより、ソフトウェア的に実現されるものであってもよい。更に、上記検出部２０及び判定部２１が本発明に係る「判定手段」の一例に相当し、ディスプレイ５が本発明に係る「告知手段」の一例及び「表示手段」の一例にそれぞれ相当する。更にまた、温度制御部２２が本発明に係る「制御手段」の一例に相当し、スピーカ６が本発明に係る「音出力手段」の一例に相当する。
【００３２】
一方メモリ３には、実施形態に係る閾値テーブルＴＢが例えば不揮発性に記憶されている。この閾値テーブルＴＢには、トレイＴごとに、当該トレイＴを他のトレイＴから識別するためのトレイＩＤを示すデータと、そのトレイＴに載せられている商品ＯＢの商品名を示すデータと、その商品ＯＢについての総重量の閾値を示す閾値データと、が、相互に関連付けて記憶されている。なお以下の説明において、上記トレイＩＤを示すデータを単に「トレイＩＤ」と称し、上記商品名を示すデータを単に「商品名」と称し、上記閾値を示す閾値データを単に「閾値」と称する。そして上記閾値は、各商品ＯＢについて、商品補充のための警告をディスプレイ５及び／又はスピーカ６を用いて当該店舗の従業員等に告知する際に、当該告知を行うか否かを判定するために用いられる閾値である。例えばトレイＴ１に載せられている商品ＯＢ１（商品名「○○」）については閾値が「３００グラム」とされており、この場合、トレイＴ１上の商品ＯＢ１（商品名「○○」）の総重量が３００グラム以下又は３００グラム未満となった場合、その商品ＯＢ１（商品○○）について上記の補充のための告知が行われる。この閾値は、商品ＯＢごとに例えば、補充のための調理等をするために必要な時間や、いわゆるＰＯＳ（Point Of Sale）データ等に基づいた時間又は時刻ごとの販売（消費）実績等に基づき、その閾値を下回ったことが警告として告知されてからその商品ＯＢが補充されるまでの間に、トレイＴ上のその商品ＯＢがなくならないような閾値として予め設定される。
【００３３】
上記の構成において、処理装置ＰＣのインターフェース１は、各トレイＴの重量センサ１０にそれぞれ接続されている。そしてインターフェース１は、上記重量検出信号を各重量センサ１０からそれぞれ取得し、各トレイＴを識別可能にしつつ処理部２の検出部２０に出力する。そして検出部２０は、出力されてきた各重量検出信号に基づいて、その時点での各トレイＴ上の商品ＯＢの総重量を、トレイＴごとに識別可能に検出する。
【００３４】
次に処理部２の判定部２１は、検出部２０において検出された各商品ＯＢの総重量と、閾値テーブルＴＢに含まれている各閾値と、を、トレイＴごとに比較し、各トレイＴ（各商品ＯＢ）について、上記警告を告知するか否かを判定する。より具体的に例えば、トレイＴ１について、検出された商品ＯＢ１のその時点での総重量が例えば２８０グラムであった場合、この総重量はトレイＴ１についての閾値３００グラムを下回っている。よってこの場合、判定部２１はトレイＴ１について上記警告を告知すべきと判定する。そして判定部２１において上記警告を告知すべきと判定された場合、処理部２は、トレイＴ１についての上記警告を、ディスプレイ５及び／又はスピーカ６を用いて当該店舗の従業員等に告知する。なおこの場合、当該警告としては、上記補充の対象たるトレイＴ又は商品ＯＢを他のトレイＴ又は商品ＯＢから識別可能に行われることが好ましい。このディスプレイ５及び／又はスピーカ６を用いた警告の態様については、後ほど図４を用いて説明する。
【００３５】
これらと並行して、ショーケースＳＣの内部温度を示す温度検出信号が上記温度センサ１２から出力されると、処理部２の温度制御部２２は、当該内部温度が各商品ＯＢを保温するのに適した周囲温度となるように、温度設定部１１を構成する電熱ヒータ等を制御する。
【００３６】
次に、上述した実施形態に係る商品管理処理について、図１乃至図４を用いて纏めて説明する。なお、実施形態に係る商品管理処理は、主として処理部２を中心として実行される。
【００３７】
図３に示すように、実施形態に係る商品管理処理は、例えばショーケースＳＣ及び処理装置ＰＣそれぞれに電源が投入されたタイミングから開始される。そして処理部２は、当該商品管理処理が開始されると、閾値テーブルＴＢから、各トレイＴについての上記閾値を取得する（ステップＳ１）。この場合処理部２は、当該閾値を、それが対応する商品ＯＢの店舗等への配送に伴って、図示しない外部の管理サーバから例えばインターネット等のネットワークを介して取得してもよいし、その都度、操作部４を介して従業員等により入力された閾値を取得してもよい。
【００３８】
次に処理部２の検出部２０は、各重量センサ１０からの重量検出信号に基づき、その時点で各トレイＴに載せられている商品ＯＢの総重量をそれぞれ検出する（ステップＳ２）。
【００３９】
そして処理部２の判定部２１は、上記検出された各総重量に基づき、その時点での商品ＯＢの総重量が上記閾値以下（又は当該閾値未満。以下、同様。）であるトレイＴがあるか否かを判定する（ステップＳ３）。ステップＳ３の判定において、商品ＯＢの総重量が閾値以下であるトレイＴがない場合（ステップＳ３；ＮＯ）、処理部２は後述するステップＳ６の処理に移行する。一方ステップＳ３の判定において、商品ＯＢの総重量が閾値以下であるトレイＴがあった場合（ステップＳ３；ＹＥＳ）、処理部２の温度調整部２２は、温度センサ１２からの上記温度検出信号に基づき、温度設定部１１を介してショーケースＳＣの内部温度を制御する（ステップＳ４）。このステップＳ４の処理として具体的に温度制御部２２は、商品ＯＢの総重量が閾値以下であるトレイＴがあった場合（ステップＳ３；ＹＥＳ）、例えばショーケースＳＣ内の温度を上げて、少なくなった商品ＯＢの保温に努めるようにする。またそれ以外の場合に温度制御部２２は、ショーケースＳＣ内の温度が所定温度以上とならないように温度設定部１１を制御する。
【００４０】
次にステップＳ３の判定において、商品ＯＢの総重量が閾値以下であるトレイＴがあった場合（ステップＳ３；ＹＥＳ）、処理部２は、商品ＯＢの総重量が閾値以下であるトレイＴについて、それに載せられている商品ＯＢを補充する旨の上記警告を、ディスプレイ５及び／又はスピーカ６を用いて行う（ステップＳ５）。
【００４１】
ここで、ディスプレイ５を用いた上記警告は、例えば図４に例示するように、トレイＴ（又は商品ＯＢ）ごとに、その旨の警告表示ＷＧを用いて行われる。この場合の警告表示ＷＧは、他のトレイＴ（又は商品ＯＢ）から識別可能に、例えば表示色を変えるか、又は点滅表示させる等の態様で行われる。また図４に例示するように、警告対象たるトレイＴ及び／又は商品ＯＢを他のトレイＴ及び商品ＯＢから識別可能に警告されることが望ましい。更にこの際、商品ＯＢ一個当たりの重さが予め判っている場合は、上記重量検出信号により示される総重量を当該一個当たりの重さで除した値を警告表示ＷＧ内に含ませることにより、残数がいくつかを一目で認識できるように構成してもよい。
【００４２】
またスピーカ６を用いた上記警告は例えば、「トレイＴ１の商品ＯＢ１を補充して下さい。」と音声出力するか、又は所定の音色のブザー音を放音する等の態様で行われる。なおこの場合、トレイＴ（又は商品ＯＢ）ごとに音色を変えると、例えば従業員等がディスプレイ４を視認できる場所にいない場合でも、どのトレイＴ（又は商品ＯＢ）を補充すべきかを、即座に認識できることになる。更に、補充対象の商品ＯＢの残数が上述した構成により判る場合、その残数に応じて、残数が少ないほど緊急度が高い音色として放音するように構成してもよい。
【００４３】
その後処理部２は、処理装置ＰＣ又はショーケースＳＣの電源がオフとされたか否かを判定し（ステップＳ６）、オフとされている場合（ステップＳ６；ＹＥＳ）、実施形態に係る商品管理処理を終了する。一方ステップＳ６の判定において、当該電源がオフとされていない場合（ステップＳ６；ＮＯ）、処理部２は上記ステップＳ２に戻って、上述してきた処理を繰り返す。なお、このステップＳ６からステップＳ２に戻る過程で、いずれかの商品ＯＢがその販売等により減少した場合（ステップＳ７）、その後の上記ステップＳ２において検出されるその商品ＯＢの総重量は、上記ステップＳ７において販売された商品ＯＢの数に対応する分だけ減少していることになる。
【００４４】
以上説明したように、実施形態に係る商品管理システムＳによれば、各商品ＯＢのその時点での重量（その時点での総重量。以下、同様。）と、その商品ＯＢに対応する閾値と、を比較して商品ＯＢが不足しているか否かを判定し、商品ＯＢの不足が判定されたときその旨の警告を告知する。また、検出された重量に基づいて商品ＯＢの周囲温度を制御する。よって、商品ＯＢの不足による販売機会の喪失を有効に防止できると共に、商品ＯＢについての適切な温度管理を行うことができる。
【００４５】
また、複数の商品ＯＢごとにその重量をそれぞれ検出し、当該商品ＯＢごとに不足しているか否かをそれぞれ判定し、当該商品ＯＢごとに当該不足している旨の警告を告知するので、商品ＯＢごとにそれぞれの不足の有無を管理することができる。
【００４６】
更に、商品ＯＢの周囲温度が既定の温度範囲内となるように、商品ＯＢの重量に基づいて当該周囲温度を制御する場合には、その商品の品質を維持することができる。更にまた、商品ＯＢの重量に基づいて、商品ＯＢの周囲温度が既定の一定温度となるように当該周囲温度を制御する場合には、その商品ＯＢの品質をより良好に維持することができる。
【００４７】
また、検出された商品ＯＢの重量と比較される閾値が変更可能であるので、商品ＯＢが置かれている環境等に応じて、柔軟に商品ＯＢを管理することができる。
【００４８】
更に、商品ＯＢが不足している旨の警告をスピーカ６により音で告知する場合には、例えば商品ＯＢやディスプレイ５の傍に従業員又はその商品ＯＢの管理者等が不在の場合でも、その従業員等に商品ＯＢの不足を認識させることができる。
【００４９】
また、商品ＯＢごとにそれが不足である旨をディスプレイ５を用いて表示する場合には、一目で商品ＯＢの不足を認識することができる。
【００５０】
なお、上述した実施形態では、ショーケースＳＣ内で保温されている商品ＯＢを管理する場合に本発明を適用したが、これ以外に、例えばチルド用のショーケースで所定温度以下の周囲温度で管理されるべき弁当等の商品を管理する場合に本発明を適用することも可能である。この場合には、当該弁当等の商品ごとにその重量を検出し、その商品に対応した閾値と比較して、補充の必要性を判定するように構成すればよい。
【００５１】
また、上述した実施形態では、ディスプレイ５とスピーカ６とを共に備える処理装置ＰＣを含む商品管理システムＳについて説明したが、これ以外に、ディスプレイ５又はスピーカ６のいずれか一方のみを備えて上記警告を行う商品管理システムに対して、本発明を適用することも可能である。
【００５２】
更に、図３に示すフローチャートに対応する商品管理用プログラムを例えばインターネットとのネットワークから取得して記録しておき、又は光ディスク等の記録媒体に当該商品管理用プログラムを記録しておき、これらを例えば汎用のマイクロコンピュータ等により読み出して実行することにより、当該マイクロコンピュータ等を実施形態に係る処理部２として機能させることも可能である。
【産業上の利用可能性】
【００５３】
以上それぞれ説明したように、本発明は商品管理システムの分野に利用することが可能であり、特に、販売機会の喪失を防止するための商品ＯＢの補充を管理する商品管理システムの分野に適用すれば特に顕著な効果が得られる。
【符号の説明】
【００５４】
１    インターフェース
２    処理部
３    メモリ
４    操作部
５    ディスプレイ
６    スピーカ
１０１、１０２、１０３、１０ｎ    重量センサ
１１    温度設定部
１２    温度センサ
２０    検出部
２１    判定部
２２    温度制御部
Ｓ    商品管理システム
ＳＣ    ショーケース
ＰＣ    処理装置
Ｔ１、Ｔ２、Ｔ３、Ｔｎ    トレイ
ＯＢ１、ＯＢ２、ＯＢ３、ＯＢｎ    商品
ＴＢ    閾値テーブル
【図２】
2015126828.tif 000003
【図３】
2015126828.tif 000004
【図４】
2015126828.tif 000005
【図１】
2015126828.tif 000006